(57)【特許請求の範囲】
【請求項１】
画像信号を取得する取得手段と、
前記画像信号が表す画像に、評価値の算出対象となる複数の評価領域を設定する設定手段と、
前記画像信号が表す画像を複数の分割画像領域に分割する分割手段と、
複数の算出手段であって、それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれの前記評価値を算出する、複数の算出手段と、
を備え、
前記複数の算出手段は、前記複数の評価領域のうち、前記複数の分割画像領域のいずれかに全体が収まる評価領域については前記評価値の算出を行うが、２以上の前記複数の分割画像領域に跨る評価領域については前記評価値の算出を行わない
ことを特徴とする画像処理装置。
【請求項２】
前記設定手段は、前記画像信号の被写体情報、撮影環境情報、あるいは撮影モード情報に基づいて前記複数の評価領域を設定することを特徴とする請求項１に記載の画像処理装置。
【請求項３】
前記複数の算出手段は、２以上の前記複数の分割画像領域に跨る評価領域の評価値として近傍の評価領域の評価値を用いることを特徴とする請求項１または２に記載の画像処理装置。
【請求項４】
画像信号を取得する取得手段と、
前記画像信号が表す画像に、前記画像信号の被写体情報、撮影環境情報、あるいは撮影モード情報に基づいて、評価値の算出対象となる複数の評価領域を設定する設定手段と、
前記画像信号が表す画像を複数の分割画像領域に分割する分割手段と、
複数の算出手段であって、それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれの前記評価値を算出する、複数の算出手段と、
を備え、
前記設定手段は、前記画像信号の被写体情報、撮影環境情報、あるいは撮影モード情報に基づいて決定される複数の評価領域が２以上の前記複数の分割画像領域に跨がるものを含む場合、前記複数の評価領域それぞれが２以上の前記複数の分割画像領域に跨らずに前記複数の分割画像領域のいずれかに全体が収まるように、前記複数の評価領域を補正して設定する
ことを特徴とする画像処理装置。
【請求項５】
前記複数の評価領域を移動させる移動手段を更に備え、
前記設定手段は、前記移動手段による移動後の前記複数の評価領域の中に２以上の前記複数の分割画像領域に跨る評価領域が存在する場合、２以上の前記複数の分割画像領域に跨る評価領域が存在しなくなるまで前記複数の評価領域を更に移動させるように前記移動手段を制御する
ことを特徴とする請求項４に記載の画像処理装置。
【請求項６】
画像信号を取得する取得手段と、
前記画像信号が表す画像に、評価値の算出対象となる複数の評価領域を設定する設定手段と、
前記画像信号が表す画像を複数の分割画像領域に分割する分割手段と、
複数の算出手段であって、それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれの前記評価値を算出する、複数の算出手段と、
前記画像信号が表す画像における前記複数の評価領域の複数の配置パターンを保持する記憶手段と、を備え、
前記複数の配置パターンそれぞれは、前記複数の評価領域それぞれが２以上の前記複数の分割画像領域に跨らずに前記複数の分割画像領域のいずれかに全体が収まるように前記画像に配置された配置パターンであり、
前記設定手段は、前記複数の配置パターンのいずれかを選択し、選択された配置パターンに従って前記複数の評価領域を設定する
ことを特徴とする画像処理装置。
【請求項７】
前記設定手段は、前記画像信号の被写体情報、撮影環境情報、あるいは撮影モード情報に基づいて前記複数の評価領域を設定することを特徴とする請求項６に記載の画像処理装置。
【請求項８】
前記複数の算出手段が算出する評価値は、前記複数の評価領域それぞれの露光状態に関する露光評価値、合焦状態に関する合焦評価値、色に関する色評価値、及び動きベクトルに関する動きベクトル評価値の少なくともいずれかであることを特徴とする請求項１乃至７のいずれか１つに記載の画像処理装置。
【請求項９】
前記複数の算出手段により算出された評価値に基づいて前記画像信号に画像処理を行う画像処理手段を備えることを特徴とする請求項１乃至８のいずれか１つに記載の画像処理装置。
【請求項１０】
請求項１乃至９の何れか１つに記載の画像処理装置と、
撮像素子を有し、前記画像信号を出力する撮像手段と、
を備えることを特徴とする撮像システム。
【請求項１１】
前記画像処理装置は、
前記複数の算出手段により算出された評価値に基づいて前記分割画像領域ごとに画像処理を行う複数の画像処理手段と、
前記複数の画像処理手段からそれぞれ出力される画像信号を結合する結合手段と、を備える
ことを特徴とする請求項１０に記載の撮像システム。
【請求項１２】
前記画像処理装置から出力される画像信号を符号化する符号化手段と、
前記符号化手段から出力される画像信号の画像を表示媒体に表示する表示手段と、
前記符号化手段から出力される画像信号を記録媒体に記録する記録手段と、を備えることを特徴とする請求項１０または１１に記載の撮像システム。
【請求項１３】
画像処理装置の制御方法であって、
前記画像処理装置の取得手段が、画像信号を取得する取得工程と、
前記画像処理装置の設定手段が、前記画像信号が表す画像に、評価値の算出対象となる複数の評価領域を設定する設定工程と、
前記画像処理装置の分割手段が、前記画像信号が表す画像を複数の分割画像領域に分割する分割工程と、
前記画像処理装置の複数の算出手段それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれの前記評価値を算出する、算出工程と、
を備え、
前記算出工程において前記複数の算出手段は、前記複数の評価領域のうち、前記複数の分割画像領域のいずれかに全体が収まる評価領域については前記評価値の算出を行うが、２以上の前記複数の分割画像領域に跨る評価領域については前記評価値の算出を行わない
ことを特徴とする制御方法。
【請求項１４】
画像処理装置の制御方法であって、
前記画像処理装置の取得手段が、画像信号を取得する取得工程と、
前記画像処理装置の設定手段が、前記画像信号が表す画像に、前記画像信号の被写体情報、撮影環境情報、あるいは撮影モード情報に基づいて、評価値の算出対象となる複数の評価領域を設定する設定工程と、
前記画像処理装置の分割手段が、前記画像信号が表す画像を複数の分割画像領域に分割する分割工程と、
前記画像処理装置の複数の算出手段それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれの前記評価値を算出する、算出工程と、
を備え、
前記設定工程において前記設定手段は、前記画像信号の被写体情報、撮影環境情報、あるいは撮影モード情報に基づいて決定される複数の評価領域が２以上の前記複数の分割画像領域に跨がるものを含む場合、前記複数の評価領域それぞれが２以上の前記複数の分割画像領域に跨らずに前記複数の分割画像領域のいずれかに全体が収まるように、前記複数の評価領域を補正して設定することを特徴とする制御方法。
【請求項１５】
画像処理装置の制御方法であって、
前記画像処理装置の取得手段が、画像信号を取得する取得工程と、
前記画像処理装置の設定手段が、前記画像信号が表す画像に、前記画像信号の被写体情報、撮影環境情報、あるいは撮影モード情報に基づいて、評価値の算出対象となる複数の評価領域を設定する設定工程と、
前記画像処理装置の分割手段が、前記画像信号が表す画像を複数の分割画像領域に分割する分割工程と、
前記画像処理装置の複数の算出手段それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれの前記評価値を算出する、算出工程と、
前記画像処理装置の記憶手段が、前記画像信号が表す画像における前記複数の評価領域の複数の配置パターンを保持する記憶工程と、を備え、
前記複数の配置パターンそれぞれは、前記複数の評価領域それぞれが２以上の前記複数の分割画像領域に跨らずに前記複数の分割画像領域のいずれかに全体が収まるように前記画像に配置された配置パターンであり、
前記設定工程では、前記複数の配置パターンのいずれかを選択し、選択された配置パターンに従って前記複数の評価領域を設定することを特徴とする制御方法。
【請求項１６】
画像信号を取得する取得手段と、
前記画像信号が表す画像に、評価値の算出対象となる複数の評価領域を設定する設定手段と、
前記画像信号が表す画像を複数の分割画像領域に分割する分割手段と、
複数の評価手段であって、それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれにおいて評価を行う複数の評価手段と、
を備え、
前記複数の評価手段は、前記複数の評価手段それぞれの前記複数の評価領域のうち、前記複数の分割画像領域のいずれかに全体が収まる評価領域の画像信号のみから評価を行うことを特徴とする画像処理装置。 
【請求項１７】
画像処理装置の制御方法であって、
前記画像処理装置の取得手段が、画像信号を取得する取得工程と、
前記画像処理装置の設定手段が、前記画像信号が表す画像に、評価値の算出対象となる複数の評価領域を設定する設定工程と、
前記画像処理装置の分割手段が、前記画像信号が表す画像を複数の分割画像領域に分割する分割工程と、
前記画像処理装置の複数の評価手段それぞれが、前記複数の分割画像領域それぞれに対応する分割画像信号を前記分割工程から取得し、前記分割画像領域内に含まれる前記複数の評価領域それぞれに対応する評価領域画像信号に基づいて、前記複数の評価領域それぞれにおいて評価を行う複数の評価工程と、
を備え、
前記複数の評価工程では、前記複数の評価工程それぞれの前記複数の評価領域のうち、前記複数の分割画像領域のいずれかに全体が収まる評価領域の画像信号のみから評価を行うことを特徴とする制御方法。
【発明の詳細な説明】
【技術分野】
【０００１】
本発明は、画像処理装置、及びその制御方法に関する。
【背景技術】
【０００２】
デジタルビデオカメラ等により撮像された映像の画質制御技術として、映像内に所定の領域（検出エリア）を設定し、検出エリア内の映像信号から評価値を算出し、その評価値に基づいて画質制御を行う技術が知られている。具体的には、例えば、検出エリア内の映像の露光状態に関する露光評価値を算出し、その露光評価値に基づいて露光制御を行うことが知られている。この他にも、検出エリア内の映像の合焦状態に関する合焦評価値に基づく合焦制御、検出エリア内の映像の色に関する色評価値に基づくホワイトバランス制御、検出エリア内の映像の動きベクトルに関する動きベクトル評価値に基づく防振制御などが知られている。
【０００３】
検出エリアの設定方法や評価値の演算方法は評価値の種類によって異なるが、一般的には、複数の検出エリアが設定される。特定の検出エリアの評価値は必ずしも映像の全領域の状態を適切に反映するとは限らないが、複数の検出エリアを設定することにより、評価値全体として映像の全領域の状態をより適切に反映することが期待される。
【０００４】
ところで、近年、４Ｋ×２Ｋに代表される、ハイビジョンテレビより高画素のテレビの開発や、高画素の撮像素子の開発がすすめられ、それに伴い、映像の高画素化を考慮した映像信号の処理技術が開発されている。一例として、映像信号を複数の領域に分割し、各領域の映像信号を複数の信号処理部で並列に処理する技術が知られている（特許文献１）。
【先行技術文献】
【特許文献】
【０００５】
【特許文献１】特開２００３−    ６６３１号公報
【発明の概要】
【発明が解決しようとする課題】
【０００６】
従来の技術に従って検出エリアが設定された映像を複数の領域に分割し、各領域の映像信号を複数の信号処理部で並列に処理する場合、１つの検出エリアが分割された複数の領域に跨る可能性がある。複数の領域に跨る検出エリアの評価値を算出するためには複数の信号処理部が協力して演算を行う必要があるので、複数の信号処理部間でのデータの受け渡しやそのためのメモリなどが必要になる。その結果、処理時間の増大やコストの上昇などの問題が発生し得る。このような問題は、映像に限らず、静止画像内に設定された検出エリアの評価値を算出する場合にも発生し得る。
【０００７】
本発明はこのような状況に鑑みてなされたものであり、画像を分割して得られる複数の領域に跨る検出エリアに対する評価値の演算の発生を抑制する技術を提供することを目的とする。
【課題を解決するための手段】
【０００８】
上記課題を解決するために、第１の本発明は、画像信号を取得する取得手段と、前記画像信号が表す画像に、評価値の算出対象となる複数の評価領域を設定する設定手段と、前記画像信号が表す画像を複数の分割画像領域に分割する分割手段と、複数の算出手段であって、それぞれが、前記複数の分割画像領域それぞれに対応する分割画像信号を前記分割手段から取得し、前記分割画像領域内に含まれる前記複数の評価領域それぞれに対応する評価領域画像信号に基づいて、前記複数の評価領域それぞれの前記評価値を算出する、複数の算出手段と、を備え、前記複数の算出手段は、前記複数の評価領域のうち、前記複数の分割画像領域のいずれかに全体が収まる評価領域については前記評価値の算出を行うが、２以上の前記複数の分割画像領域に跨る評価領域については前記評価値の算出を行わないことを特徴とする画像処理装置を提供する。
【０００９】
なお、その他の本発明の特徴は、添付図面及び以下の発明を実施するための形態における記載によって更に明らかになるものである。
【発明の効果】
【００１０】
以上の構成により、本発明によれば、画像を分割して得られる複数の領域に跨る検出エリアに対する評価値の演算の発生を抑制することが可能となる。
【図面の簡単な説明】
【００１１】
【図１】本発明の各実施形態に係るデジタルビデオカメラ（ＤＶＣ）１００の構成を示すブロック図
【図２】（ａ）は、信号振分部１２による映像信号の分割の概念図、（ｂ）（ｃ）（ｄ）は、検出エリアの設定例を示す図
【図３】被写体検出の概念図
【図４】検出エリアの移動の概念図
【図５】第１の実施形態に係る検出エリアの設定及び評価値の算出の処理を示すフローチャート
【図６】検出エリアの配置パターンの概念図
【図７】第２の実施形態に係る検出エリアの設定及び評価値の算出の処理を示すフローチャート
【発明を実施するための形態】
【００１２】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１３】
以下では、本発明の画像処理装置をデジタルビデオカメラ（ＤＶＣ）に適用した実施形態について説明する。また、以下の各実施形態では映像の処理について説明するが、映像ではなく静止画像に対しても以下の各実施形態を同様に適用可能である。
【００１４】
図１は、本発明の各実施形態に係るＤＶＣ１００の構成を示すブロック図である。ＤＶＣ１００は、光を入力するレンズ１０と、レンズ１０を通って入力された光を電気信号に変換する撮像素子としてのＣＭＯＳセンサ１１とを備える。
【００１５】
ＤＶＣ１００はまた、ＣＭＯＳセンサ１１から映像信号（画像信号）を取得して分割する信号振分部１２を備える。具体的には、信号振分部１２は、ＣＭＯＳセンサ１１を図２（ａ）に示すように複数（例えば、４つ）の領域（分割画像領域）に分割する。そして、信号振分部１２は、各領域に対応する映像信号（分割画像信号）を複数のカメラ信号処理部１３−１、１３−２、１３−３、１３−４へ振り分けて出力する。
【００１６】
ＤＶＣ１００は、信号振分部１２から振り分けて出力された映像信号を処理するカメラ信号処理部１３−１、１３−２、１３−３、１３−４を備える。以下の説明においては、カメラ信号処理部１３−１、１３−２、１３−３、１３−４を総称して、カメラ信号処理部１３と呼ぶ。カメラ信号処理部１３（算出手段）は、信号振分部１２から分割画像信号を取得し、映像内（それぞれの分割画像領域内）に設定された領域（検出エリア又は評価領域とも呼ぶ）内の映像信号（評価領域画像信号）から評価値を算出するように構成される。本発明において評価値の種類は特に限定されないが、例えば、映像の露光状態に関する露光評価値、映像の合焦状態に関する合焦評価値、映像の色に関する色評価値、及び、映像の動きベクトルに関する動きベクトル評価値などが挙げられる。
【００１７】
ＤＶＣ１００はまた、カメラシステム制御部１４を備える。カメラシステム制御部１４は、映像内に複数の検出エリアを設定し、設定された検出エリアの位置をカメラ信号処理部１３に通知する。カメラシステム制御部１４はまた、カメラ信号処理部１３が算出した評価値に基づき、カメラ信号処理部１３と連携して映像の画質制御（例えば、露光制御、合焦制御、ホワイトバランス制御、防振制御など）を行う。検出エリアの設定及び評価値の算出の詳細については、各実施形態において後述する。
【００１８】
ＤＶＣ１００はまた、カメラ信号処理部１３によって処理された複数の領域の映像信号を結合する信号結合部１５と、信号結合部１５が出力した映像信号の符号化や規格化を行うビデオ信号処理部１６とを備える。ＤＶＣ１００はまた、ビデオ信号処理部１６が出力した映像信号をＨＤＤやメモリなどの記録媒体に記録する記録部１７と、ＬＣＤパネルや外部機器（例えば２Ｋ×４Ｋモニタ）などに接続される表示部１８とを備える。ＤＶＣ１００はまた、ユーザがＤＶＣ１００に対して各種操作を指示するための操作入力部１９と、カメラシステム制御部１４が実行するプログラムや各種データを保持するＲＯＭ２０とを備える。
【００１９】
［第１の実施形態］
第１の実施形態に係る、検出エリアの設定及び評価値の算出について説明する。カメラシステム制御部１４は、任意の数の検出エリアを映像内の任意の場所に設定することができる。例えば、カメラシステム制御部１４は、図２（ｂ）や図２（ｃ）において「Ａ１」等で示すように、複数の検出エリアを離散的に設定してもよい。或いは、カメラシステム制御部１４は、図２（ｄ）に示すように、映像内に検出エリアを網目状に敷き詰めてもよい。具体的には、画像の動きベクトル検出などでは網目状に検出エリアを配置し、その検出エリアにて動きベクトル検出（及び動きベクトル評価値の算出）が行われる。
【００２０】
また、カメラシステム制御部１４は、被写体情報（例えば、顔検出など）、撮影環境情報（例えば、手ぶれ検出、逆光環境検出など）、及び撮影モード情報（例えば、ポートレートモード、顔優先モードなど）などに応じて検出エリアを移動してもよい。例えば、カメラシステム制御部１４が最初に図２（ｂ）に示すように検出エリアを設定したものとする。このとき、図３（ａ）に示すように顔検出機能などにより画角全体に被写体が検出されている場合、カメラシステム制御部１４は検出エリアをそのまま変化させない。しかしながら、図３（ｂ）に示すように画角上部に空や天井などが検出された場合、カメラシステム制御部１４は、図４上段から図４中段への矢印で示すように、検出エリアを移動させる（図４下段については別の実施形態で説明する）。これは、例えば露光制御の場合に、顔領域を主被写体と判断し、空や天井などの背景領域については露光制御の優先順位を下げて顔領域を優先的に制御する（顔優先ＡＥモードなどと呼ばれる）ためである。また、防振制御及び合焦制御の場合は、空や天井である背景領域は比較的変化の少ない平坦な領域（輝度変化周波数の低い画像）であるため、動きベクトル評価値や合焦評価値などの評価値を演算しても演算結果はあまり有効なものではない。むしろ、逆に誤制御につながることもあるため、カメラシステム制御部１４は、そのような背景領域に検出エリアを設定しないように制御する。
【００２１】
カメラシステム制御部１４は、このように設定された検出エリアの位置をカメラ信号処理部１３に通知する。
【００２２】
次に、評価値の算出について説明する。図２（ｂ）及び図４上段においては、信号振分部１２によって分割された複数の（２以上の）領域に跨る検出エリアは存在しないが、図２（ｃ）、図２（ｄ）、及び図４中段においては、一部の検出エリアが複数の領域に跨る。カメラ信号処理部１３は、複数の領域に跨らない検出エリアについては、検出エリア内の映像信号に基づいて評価値を算出するが、複数の領域に跨る検出エリアについては、評価値の算出を行わない。これにより、評価値の算出対象となる検出エリアは、全て、複数の領域に跨らずに１つの領域内に収まる。換言すれば、カメラ信号処理部１３−１、１３−２、１３−３、１３−４はそれぞれ、自分が処理すべき領域内の検出エリアについて、単独で評価値の算出を行うことができる。
【００２３】
図５は、第１の実施形態に係る検出エリアの設定及び評価値の算出の処理を示すフローチャートである。Ｓ５１で、カメラシステム制御部１４は、撮影シーン（被写体条件、撮影環境条件、撮影モード条件など）を検出する。Ｓ５２で、カメラシステム制御部１４は、検出された撮影シーンに基づいて、映像内に検出エリアを設定する（既に設定されている場合、必要に応じて検出エリアを移動させる）。検出エリアの移動は、例えば、カメラシステム制御部１４が予め記憶しているプログラムに従って行う。カメラシステム制御部１４は、設定した検出エリアをカメラ信号処理部１３に通知する。
【００２４】
Ｓ５３で、カメラ信号処理部１３は、信号振分部１２によって分割された複数の領域（信号処理領域）に跨る検出エリアが存在するか否かを判定する。存在する場合（例えば、図２（ｃ）、図２（ｄ）、又は図４中段の場合）、処理はＳ５４に進み、存在しない場合（例えば、図２（ｂ）の場合）、処理はＳ５５に進む。
【００２５】
Ｓ５４で、カメラ信号処理部１３は、複数の信号処理領域に跨っていない検出エリアの評価値を算出する。このとき、カメラ信号処理部１３は、複数の信号領域に跨る検出エリアについては評価値の算出を行わない。一方、Ｓ５５では、カメラ信号処理部１３は、全ての検出エリアの評価値を算出する。
【００２６】
Ｓ５６で、カメラ信号処理部１３及びカメラシステム制御部１４は、算出された評価値に基づいて映像信号を処理することにより、画質制御を行う。カメラ信号処理部１３及びカメラシステム制御部１４は、画質制御を行う際に、評価値が算出されなかった検出エリアについては「評価値無し」として扱ってもよいし、近傍の検出エリアの評価値又は画面全体の平均評価値を代替として使用してもよい。
【００２７】
以上説明したように、本実施形態によれば、カメラ信号処理部１３は、複数の領域に跨らない検出エリアについては、検出エリア内の映像信号に基づいて評価値を算出するが、複数の領域に跨る検出エリアについては、評価値の算出を行わない。これにより、画像を分割して得られる複数の領域に跨る検出エリアに対する評価値の演算の発生を抑制することが可能となる。
【００２８】
［第２の実施形態］
第２の実施形態に係る、検出エリアの設定及び評価値の算出について説明する。カメラシステム制御部１４は、任意の数の検出エリアを、「信号振分部１２によって分割された複数の領域に跨る場所でない限り」映像内の任意の場所に設定することができる。換言すれば、カメラシステム制御部１４は、例えば図２（ｂ）に示すように、それぞれの検出エリアが複数の領域に跨らずにいずれかの領域内に全体が収まるように設定する。従って、第２の実施形態では、カメラシステム制御部１４は、図２（ｃ）や図２（ｄ）に示すような検出エリアの設定を行わない（検出エリアが複数の領域を跨がなければ網目状の設定は構わない）。第２の実施形態に係る検出エリアの設定を実現するために、例えば、カメラシステム制御部１４は図６（ａ）〜（ｉ）に示す配置パターンをＲＯＭ２０（記憶手段）内のデータテーブルに保持する。カメラシステム制御部１４は、所定の基準に従って配置パターンを選択して検出エリアを設定する。
【００２９】
また、カメラシステム制御部１４は、被写体情報（例えば、顔検出など）、撮影環境情報（例えば、手ぶれ検出、逆光環境検出など）、及び撮影モード情報（例えば、ポートレートモード、顔優先モードなど）などに応じて検出エリアを移動してもよい。しかしながら、例えば第１の実施形態と同様に図４上段に示すように設定された検出エリアを図４中段に示すように移動させると、一部の検出エリアが信号振分部１２によって分割された複数の領域に跨る。そこで、第２の実施形態では、移動後の検出エリアが複数の領域に跨った場合、カメラシステム制御部１４は、図４中段から図４下段への矢印で示すように、検出エリアを更に移動させる。換言すれば、カメラシステム制御部１４は、移動後の検出エリアの中に複数の領域に跨る検出エリアが存在する場合、そのような検出領域が存在しなくなるまで検出エリアを更に移動させる制御を行う。
【００３０】
図７は、第２の実施形態に係る検出エリアの設定及び評価値の算出の処理を示すフローチャートである。Ｓ７１で、カメラシステム制御部１４は、撮影シーン（被写体条件、撮影環境条件、撮影モード条件など）を検出する。Ｓ７２で、カメラシステム制御部１４は、検出された撮影シーンに基づいて、映像内に検出エリアを設定する（既に設定されている場合、必要に応じて検出エリアを移動させる）。検出エリアの移動は、例えば、カメラシステム制御部１４が予め記憶しているプログラムに従って行う。
【００３１】
Ｓ７３で、カメラシステム制御部１４は、信号振分部１２によって分割された複数の領域（信号処理領域）に跨る検出エリアが存在するか否かを判定する。存在する場合（例えば、図２（ｃ）、図２（ｄ）、又は図４中段の場合）、処理はＳ７４に進み、存在しない場合（例えば、図２（ｂ）、又は図４下段の場合）、処理はＳ７５に進む。
【００３２】
Ｓ７４で、カメラシステム制御部１４は、予め記憶しているプログラムに従って検出エリアの移動量を設定する（既に設定されている場合、移動量を変更する）。その後、処理はＳ７２に戻り、複数の領域に跨る検出エリアが存在しなくなるまで検出エリアの移動が行われる（例えば、図４上段から中段を経て下段に至るような移動が行われる）。なお、複数の領域に跨る検出エリアが存在しないような移動後の検出エリアの配置パターンが存在しない場合、カメラシステム制御部１４は、検出エリアを移動前の状態に戻してもよい。
【００３３】
Ｓ７５で、カメラシステム制御部１４は、設定した検出エリアをカメラ信号処理部１３に通知し、カメラ信号処理部１３は、全ての検出エリアの評価値を算出する。Ｓ７６で、カメラ信号処理部１３及びカメラシステム制御部１４は、算出された評価値に基づいて映像信号を処理することにより、画質制御を行う。
【００３４】
以上の処理により、撮影シーンに応じて検出エリアが移動する場合でも、複数の領域に跨らないように検出エリアが設定される。
【００３５】
なお、移動後の検出エリアが複数の領域に跨った場合に検出エリアを更に移動させる代わりに、移動後の検出エリアが複数の領域に跨らないように予め配置パターンを用意してもよい。例えば、ＤＶＣ１００は、図６（ｅ）を初期状態の配置パターンとし、図６（ａ）〜（ｄ）及び図６（ｆ）〜（ｉ）を移動後の配置パターンの候補としてＲＯＭ２０に保持する。この場合、カメラシステム制御部１４は、検出エリアを移動させる際に、これらの候補の中から移動後の配置パターンを選択する。
【００３６】
以上説明したように、本実施形態によれば、カメラシステム制御部１４は、それぞれの検出エリアが複数の領域に跨らずにいずれかの領域内に全体が収まるように設定する。これにより、画像を分割して得られる複数の領域に跨る検出エリアに対する評価値の演算の発生を抑制することが可能となる。
【００３７】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005161939.tif 000002
【図２】
0005161939.tif 000003
【図３】
0005161939.tif 000004
【図４】
0005161939.tif 000005
【図５】
0005161939.tif 000006
【図６】
0005161939.tif 000007
【図７】
0005161939.tif 000008